(57)【特許請求の範囲】
【請求項１】
幹線と、
前記幹線の途中部分から分岐される支線と、
前記幹線における前記途中部分よりも前記幹線の延在方向外側で前記幹線を束ねる仮止め部材と、
前記幹線と前記仮止め部材と前記支線とを挟んで覆い前記幹線に沿う一対の縁部の間から前記支線が引き出されるように前記一対の縁部を重ね合わせて貼り合わされる自己粘着シートと、
を備え、
前記自己粘着シートは、重ね合わされて互いに接着すると共に前記幹線及び前記支線には接着しない接着面、を有し、
前記仮止め部材は、前記幹線における前記途中部分よりも前記幹線の延在方向両外側の２箇所に設けられ、前記支線には設けられないことを特徴とするワイヤハーネス。
【請求項２】
前記仮止め部材は、粘着テープであることを特徴とする請求項１に記載のワイヤハーネス。
【発明の詳細な説明】
【技術分野】
【０００１】
本発明は、ワイヤハーネスに関する。
【背景技術】
【０００２】
図２及び図３に示したワイヤハーネス２００は、下記特許文献１に開示されたワイヤハーネスである。
【０００３】
このワイヤハーネス２００は、幹線２１０と、幹線２１０から分岐する支線２２０と、分岐部２３０を覆う一枚の粘着テープ２４０と、を備えている。
【０００４】
粘着テープ２４０は、片面が粘着面となっているテープで、図３に示すように、略矩形の一枚の母材テープ２４１に、該母材テープ２４１に載置された幹線２１０の支線２２０が分岐する側の一側に沿って形成された一対の切れ込み２４２と、母材テープ２４１に載置された幹線２１０の分岐側とは逆の領域で支線２２０の延在方向に沿って形成された一対の切れ込み２４３とを備えている。
【０００５】
そして、粘着テープ２４０は、前述の４本の切れ込みによって、幹線２１０を載置する帯状の幹線載置部２４４と、支線２２０を載置する支線載置部２４５と、支線載置部２４５に載置された支線２２０の上に折り重ねられる支線挟み部２４６と、幹線載置部２４４の上に載置された幹線２１０に巻き着けられる幹線巻き付け部２４７と、支線２２０の上に折り重ねられた支線挟み部２４６の上から支線２２０に巻き着けられる支線巻き付け部２４８と、を形成している。
【０００６】
特許文献１におけるワイヤハーネス２００の場合、分岐部２３０の全体が粘着テープ２４０で覆われるため、幹線２１０の分岐部２３０の両側に位置する電線の束、及び分岐部２３０から延出する支線２２０の電線の束のいずれにおいても、束を構成している電線がばらけることを防止することができ、電線がばらけることによる配索性の低下を防止することができる。
【０００７】
しかし、特許文献１のワイヤハーネス２００の場合、分岐部２３０に使用する粘着テープ２４０は、大きく、しかも多数の切れ込み２４２，２４３を有している。そのため、分岐部２３０に貼り付ける作業の途中で、図３に示した形状が皺がよって崩れたり、一部が他の部位に折れ重なって剥がれず、分岐部２３０に貼り付けることができなくなるおそれがあった。また、粘着テープ２４０が手指から剥がれにくく、手指から剥がすのに手間がかかる場合があった。
【０００８】
そのため、粘着テープ２４０を分岐部２３０に貼り付ける際には、慎重で、且つ、丁寧な作業必要となり、生産性の向上が難しい。
【０００９】
そこで、図４に示すように、分岐部２３０の両側の幹線２１０の束を、帯状の粘着テープ２６０で結束しただけの簡易な構成にして、生産性を高めることが考えられる。この構成では、幹線２１０を束ねている各粘着テープ２６０の内側縁２６１を、分岐部２３０に近接させることで、支線２２０を構成する複数の電線を束状にすることができる。
【先行技術文献】
【特許文献】
【００１０】
【特許文献１】実開平３−３１１６号公報
【発明の概要】
【発明が解決しようとする課題】
【００１１】
しかし、図４に示した構成では、粘着テープ２６０を装着する位置は、治具等で装着位置を決めないと、粘着テープ２６０の装着位置がずれて、品質のバラツキを招くおそれがあった。
【００１２】
そして、粘着テープ２６０の内側縁２６１の位置が分岐部２３０から離れていると、当初は支線２２０の電線が束状になっていても、図５に示すように、支線２２０に作用する外力によって支線２２０を構成している各電線がばらけて、束径が大きくなったり、ばらけた電線が周囲の器物に引っかかり易くなり、当該ワイヤハーネス２００の配索性が低下するおそれがあった。
【００１３】
そこで、本発明の目的は、上記課題を解消することに係り、簡単な構成で、幹線から分岐する支線の束がばらけることを防止することができ、支線の束径を一定の範囲に維持することができる安定した品質のワイヤハーネスを提供することにある。
【課題を解決するための手段】
【００１４】
本発明の前述した目的は、下記の構成により達成される。
（１）  幹線と、
前記幹線の途中部分から分岐される支線と、
前記幹線における前記途中部分よりも前記幹線の延在方向外側で前記幹線を束ねる仮止め部材と、
前記幹線と前記仮止め部材と前記支線とを挟んで覆い前記幹線に沿う一対の縁部の間から前記支線が引き出されるように前記一対の縁部を重ね合わせて貼り合わされる自己粘着シートと、
を備え、
前記自己粘着シートは、重ね合わされて互いに接着すると共に前記幹線及び前記支線には接着しない接着面、を有し、
前記仮止め部材は、前記幹線における前記途中部分よりも前記幹線の延在方向両外側の２箇所に設けられ、前記支線には設けられないことを特徴とするワイヤハーネス。
【００１５】
（２）  前記仮止め部材は、粘着テープであることを特徴とする上記（１）に記載のワイヤハーネス。
【００１６】
上記（１）の構成によれば、分岐部の両側の幹線を仮止め部材により束ねることで、分岐部から延出する支線を、略束状にまとめることができる。そして、分岐部の両側の幹線を仮止め部材により束ねた後、分岐部の幹線と支線を自己粘着シートで挟んで覆う。
自己粘着シートは、自己の粘着面同士が重なったときに、重なった面同士を所定の接着力で接着し、当該自己粘着シートの粘着面に接触するものがワイヤハーネスや手指などの自己の粘着面以外の場合には接着性を発揮しない。そのため、自己粘着シートを分岐部に装着する際には、不用意に自己粘着シートが他の部位に接着して作業が行い難くなることがなく、自己粘着シートを簡単に分岐部に添えて、分岐部における幹線や支線を挟んで覆った状態にすることができる。
【００１７】
そして、分岐部を覆った自己粘着シートは、例えば、周囲から内方に向かって、重なり合っている自己粘着シート同士を押圧して接着させていくと、幹線の周囲及び支線の周囲が自己粘着シート同士の接着域で囲われ、幹線や支線を構成している電線の移動が規制され、各電線がばらけることが防止される。
【００１８】
従って、仮止め部材による結束位置が分岐部から離れていても、仮止め部材による結束直後で、支線を構成している電線が略束状になっているうちに、自己粘着シートで分岐部を挟み、分岐部の幹線及び支線の周囲で重なる自己粘着シート同士を接着させれば、幹線や支線を形成している各電線の移動が規制される。そのため、支線を構成している各電線が支線に作用する外力によってばらけることを防止することができ、電線がばらけることによって支線の束径が徐々に増大するような不都合を防止することができる。
【００１９】
従って、簡単な構成で、幹線から分岐する支線の束がばらけることを防止することができ、また、仮止め部材の装着位置を厳密に規制せずとも、支線の束径を一定の範囲に維持した安定した品質のワイヤハーネスを提供することができる。
【００２０】
上記（２）の構成によれば、仮止め部材は、比較的に低コストで流通する粘着テープであるため、幹線の周囲に緊張状態で巻き着けるだけで、簡単に幹線を結束することができ、低コスト化と、生産性の向上とを図ることができる。
【発明の効果】
【００２１】
本発明によるワイヤハーネスによれば、簡単な構成で、幹線から分岐する支線の束がばらけることを防止することができ、支線の束径を一定の範囲に維持することができる安定した品質のワイヤハーネスを提供することができる。
【００２２】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は本発明に係るワイヤハーネスの一実施形態の斜視図である。
【図２】図２は従来のワイヤハーネスの斜視図である。
【図３】図３は図２に示したワイヤハーネスの分岐部を覆う粘着テープの展開図である。
【図４】図４は粘着テープによる結束構造を簡易化した従来のワイヤハーネスの斜視図である。
【図５】図５は図４に示したワイヤハーネスにおいて発生する不都合の説明図である。
【発明を実施するための形態】
【００２４】
以下、本発明に係るワイヤハーネスの好適な実施形態について、図面を参照して詳細に説明する。
図１は、本発明に係るワイヤハーネスの一実施形態の斜視図である。
【００２５】
この一実施形態のワイヤハーネス４は、幹線５と、片面自己粘着シート６と、支線７と、仮止め部材８と、を備えている。
【００２６】
幹線５は、複数の被覆電線５１から構成された電線の束である。この幹線５は、途中に、支線７が分岐する分岐部４ａが設定される。
【００２７】
片面自己粘着シート６は、矩形のシート状で、分岐部４ａにおける幹線５と支線７とを挟んで覆っている。また、片面自己粘着シート６は、幹線５に沿う一対の縁部６１，６１を重ね合わせて張り合わされる。
【００２８】
この片面自己粘着シート６は、重ね合わされる面（片面）が自己粘着面である。この片面自己粘着シート６は、自己粘着面同士が合わされることによってのみ、接着性を発揮し、貼り合わせた面同士が接着される。片面自己粘着シート６の自己粘着面は、自己粘着面以外には接着性を発揮せず、作業者の指や、接触する幹線５や支線７には、接着することがない。
【００２９】
本実施形態で用いられる片面自己粘着シート６は、自身の粘着面（裏面）同士を自己粘着によって貼り合わすことができる。つまり、糊や結束テープを不要にして粘着面（裏面）同士を合わせるだけで簡単に貼ることが可能となる。片面自己粘着シート６は、ＰＰ（ポリプロピレン）発泡材からなるシート基材の表面に表面材が積層され、裏面に特殊粘着剤層が積層される。表面材にはクラフト紙、ライナーボード、ＰＥＴ（ポリエチレンテレフタレート）フィルム、ＰＰフィルム、不織布等が使用可能となる。引張強さは、タテ方向が４９Ｎ／ｃｍ幅、ヨコ方向が２３Ｎ／ｃｍ幅（ＪＩＳ  Ｋ−６７６７準拠）、引裂強さは、タテ方向が７．８Ｎ、ヨコ方向が６．８Ｎ（ＪＩＳ  Ｋ−６７６７準拠）、水蒸気透過率は０．００５２ｇ／ｃｍ２・２４ｈｒｓ（ＦＳ−１０１Ｂ）、初期粘着力は２．５Ｎ／ｃｍ幅（Ｔ型剥離試験）等の特性を有する。この片面自己粘着シートとしては例えば米国クロウェル社製のＣｒｏ−ｎｅｌ（登録商標）等を用いることができる。
【００３０】
支線７は、幹線５の途中から分岐した複数の被覆電線５１で構成される電線の束である。この支線７は、分岐部４ａにおいて、幹線５と一緒に片面自己粘着シート６に挟まれると共に、片面自己粘着シート６により覆われる。また、支線７は、張り合わされた一対の縁部６１，６１の間から引き出されている。
【００３１】
仮止め部材８は、本実施形態の場合、片面に粘着層を有した粘着テープである。この仮止め部材８は、幹線５における支線７の分岐部４ａよりも幹線５の延在方向（図１では、矢印Ｘ方向）外側で、幹線５を束ねる。
【００３２】
以上に説明したワイヤハーネス４では、分岐部４ａの両側の幹線５を仮止め部材８により束ねることで、分岐部４ａから延出する支線７を、略束状にまとめることができる。そして、分岐部４ａの両側の幹線５を仮止め部材８により束ねた後、分岐部４ａの幹線５と支線７を片面自己粘着シート６で挟んで覆う。
【００３３】
片面自己粘着シート６は、自己の粘着面同士が重なったときに、重なった面同士を所定の接着力で接着し、当該片面自己粘着シート６の粘着面に接触するものがワイヤハーネス４や作業者の手指などの自己の粘着面以外の場合には接着性を発揮しない。
【００３４】
そのため、片面自己粘着シート６を分岐部４ａに装着する際には、不用意に片面自己粘着シート６が他の部位に接着して作業が行い難くなることがなく、片面自己粘着シート６を簡単に分岐部４ａに添えて、分岐部４ａにおける幹線５や支線７を挟んで覆った状態にすることができる。
【００３５】
そして、分岐部４ａを覆った片面自己粘着シート６は、例えば、周囲から内方に向かって、重なり合っている片面自己粘着シート６同士を押圧して接着させていくと、幹線５の周囲及び支線７の周囲が片面自己粘着シート６同士の接着域で囲われ、幹線５や支線７を構成している電線の移動が規制され、各電線がばらけることが防止される。
【００３６】
従って、仮止め部材８による結束位置が分岐部４ａから離れていても、仮止め部材８による結束直後で、支線７を構成している電線が略束状になっているうちに、片面自己粘着シート６で分岐部４ａを挟み、分岐部４ａの幹線５及び支線７の周囲で重なる片面自己粘着シート６同士を接着させれば、幹線５や支線７を形成している各電線の移動が規制される。そのため、支線７を構成している各電線が支線７に作用する外力によってばらけることを防止することができ、電線がばらけることによって支線７の束径が徐々に増大するような不都合を防止することができる。
【００３７】
従って、簡単な構成で、幹線５から分岐する支線７の束がばらけることを防止することができ、また、仮止め部材８の装着位置を厳密に規制せずとも、支線７の束径を一定の範囲に維持した安定した品質のワイヤハーネス４を提供することができる。
【００３８】
また、一実施形態のワイヤハーネス４の場合、仮止め部材８は、比較的に低コストで流通する粘着テープであるため、幹線５の周囲に緊張状態で巻き着けるだけで、簡単に幹線５を結束することができ、ワイヤハーネス４の低コスト化と、生産性の向上とを図ることができる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
例えば、仮止め部材は、粘着テープに限るものではなく、片面に複数の係止用凹凸が形成されたバンド部の一端に、前記バンド部を挿通可能で挿通したバンド部の係止用凹凸に係合するバンド係止部を備えた結束バンドを使用することもできる。更に、仮止め部材は、Ｃ字形状のリング状部材、ひも、接着剤でもよい。
【００４１】
また、自己粘着シートは、両面が自己粘着性を有する両面自己粘着シートであってもよい。
【００４２】
ここで、上述した本発明に係るワイヤハーネスの実施形態の特徴をそれぞれ以下［１］〜［２］に簡潔に纏めて列記する。
【００４３】
［１］  幹線（５）と、
前記幹線（５）を挟んで覆い前記幹線（５）に沿う一対の縁部を重ね合わせて貼り合わされる自己粘着シート（６）と、
前記幹線（５）の途中から分岐されると共に、前記自己粘着シート（６）に挟まれて覆われて前記一対の縁部の間から引き出される支線（７）と、
前記幹線（５）における前記支線（７）の分岐部（４ａ）よりも前記幹線（５）の延在方向外側で前記幹線（５）を束ねる仮止め部材（８）と、
を備えることを特徴とするワイヤハーネス（４）。
【００４４】
［２］  前記仮止め部材（８）は、粘着テープであることを特徴とする上記［２］に記載のワイヤハーネス（４）。
【符号の説明】
【００４５】
４  ワイヤハーネス
４ａ  分岐部
５  幹線
６  片面自己粘着シート
７  支線
８  仮止め部材
【図１】
0006599605.tif 000002
【図２】
0006599605.tif 000003
【図３】
0006599605.tif 000004
【図４】
0006599605.tif 000005
【図５】
0006599605.tif 000006